(57)【要約】【課題】  利用者の位置を把握して、乗りかごに対する呼び登録、行先登録を自動的に設定し、病院などを利用する身障者、オフィスビルに出入りする利用者など、特定の階床を利用することが多い利用者に対するサービスを飛躍的に向上させる。【解決手段】  ＧＰＳ機能付きの携帯電話機８によって、利用者の位置を把握し、利用者が乗りかご３に乗ろうとして、ホール乗り場９に近づいているとき、携帯電話機８→無線ネットワーク１０→ビル内ネットワーク１１→エレベータ制御装置１４なる経路で、エレベータ制御装置１４に、携帯電話機８に記憶されているＩＤ情報、エレベータ利用階（行先階情報）、利用時間などの個人利用状況情報を供給して、呼び情報、行先情報などを自動的に登録する。【選択図】      図１
2005280906.tif 000002
【特許請求の範囲】
【請求項１】
エレベータの利用者によって携帯され、乗りかごに対する利用者の個人利用状況情報を記憶する記憶機能と、当該利用者の位置情報を生成するＧＰＳ機能とを備え、
生成された位置情報、記憶されている利用者の個人利用状況情報に基づき、当該利用者がエレベータに近づいた際にエレベータ制御装置に対して当該利用者に対する最適な運転制御を実行する、
ことを特徴とする携帯端末。
【請求項２】
エレベータの利用者によって携帯され、乗りかごに対する利用者の個人利用状況情報を記憶する記憶機能と、当該利用者の位置情報を生成するＧＰＳ機能とを備えた携帯端末と、
この携帯端末によって生成された位置情報、記憶されている利用者の個人利用状況情報を取り込み、利用者が前記乗りかごに近づいた際に、呼び情報および行先階情報を生成する無線ネットワークと、
この無線ネットワークから出力される呼び情報および行先階情報に基づき、前記乗りかごの運転を制御するエレベータ制御装置と、
を備えたことを特徴とするエレベータシステム。
【請求項３】
請求項２に記載のエレベータシステムにおいて、
前記エレベータ制御装置は、利用者の乗りかご利用状況に基づき、この利用者が携帯する携帯端末に記憶された個人利用状況情報を更新する、
ことを特徴とするエレベータシステム。
【請求項４】
請求項２または３に記載のエレベータシステムにおいて、
前記無線ネットワークから出力される呼び情報および行先階情報に基づき、前記利用者の乗りかご利用状況、立ち入り場所等のセキュリティに関する状況を監視するセキュリティシステム、
を備えたことを特徴とするエレベータシステム。
【発明の詳細な説明】
【技術分野】
【０００１】
本発明は、携帯電話機等を用いてホール呼び登録、行先登録などを行う携帯端末およびエレベータシステムに関する。
【背景技術】
【０００２】
数階建てから数十階建てのビルなどに設けられるエレベータシステムでは、各ホールに設けられた呼び登録ボタンが操作されて呼びが登録される毎に、呼びが発生した階床まで乗りかごを昇降して停止する。この後、乗りかご内に利用者が乗り込んで、乗りかご内に設けられた行先登録ボタンで目的階が指定されたとき、乗りかごの昇降を開始して利用者を目的階に移動する。
【０００３】
また、高層ビルなどに設けられるエレベータシステムでは、各ホールに設けられた呼び登録ボタンが操作されて呼びが登録される毎に、群管理方式で、呼びが登録された階床まで各乗りかごを運転したときの予測待ち時間を演算して、最も早く着床することができる乗りかごを選択し、呼びが発生した階床まで乗りかごを昇降して停止する。この後、乗りかご内に利用者が乗り込んで、乗りかご内に設けられた行先登録ボタンで目的階が指定されたとき、乗りかごの昇降を開始して、利用者を目的階に移動する。
【特許文献１】特開２００２−３２６７７５号公報
【発明の開示】
【発明が解決しようとする課題】
【０００４】
従来のエレベータシステムでは、各ホールに設けられた呼び登録ボタンが操作されて呼びが登録された時点で、乗りかごの昇降が開始され、呼びが登録された階床に乗りかごが着床される。また乗りかご内に設けられた行先ボタンが操作された時点で、乗りかごの行先階が決定されて乗りかごの昇降が開始されて行先階に乗りかごを着床させるようにしている。
【０００５】
このため、不特定多数の利用者が各階床に均等に移動するときには使い勝手が良いものの、病院やオフィスビルなどのように、特定の階床しか利用しない固定利用者が移動する手段としては、使い勝手が良くないという問題があった。
【０００６】
本発明は上記の事情に鑑み、病院などを利用する身障者、オフィスビルに出入りする利用者など、特定の階床を利用することが多い利用者に対するサービスを飛躍的に向上させることができる携帯端末およびエレベータシステムを提供することを主目的としている。
【課題を解決するための手段】
【０００７】
上記の目的を達成するために本発明は、請求項１では、エレベータの利用者によって携帯され、乗りかごに対する利用者の個人利用状況情報を記憶する記憶機能と、当該利用者の位置情報を生成するＧＰＳ機能とを備え、生成された位置情報、記憶されている利用者の個人利用状況情報に基づき、当該利用者がエレベータに近づいた際にエレベータ制御装置に対して当該利用者に対する最適な運転制御を実行することを特徴としている。
【０００８】
請求項２では、エレベータの利用者によって携帯され、乗りかごに対する利用者の個人利用状況情報を記憶する記憶機能と、当該利用者の位置情報を生成するＧＰＳ機能とを備えた携帯端末と、この携帯端末によって生成された位置情報、記憶されている利用者の個人利用状況情報を取り込み、利用者が前記乗りかごに近づいた際に、呼び情報および行先階情報を生成する無線ネットワークと、この無線ネットワークから出力される呼び情報および行先階情報に基づき、前記乗りかごの運転を制御するエレベータ制御装置とを備えたことを特徴としている。
【０００９】
請求項３では、請求項２に記載のエレベータシステムにおいて、前記エレベータ制御装置は、利用者の乗りかご利用状況に基づき、この利用者が携帯する携帯端末に記憶された個人利用状況情報を更新することを特徴としている。
【００１０】
請求項４では、請求項２または３に記載のエレベータシステムにおいて、前記無線ネットワークから出力される呼び情報および行先階情報に基づき、前記利用者の乗りかご利用状況、立ち入り場所等のセキュリティに関する状況を監視するセキュリティシステムを備えたことを特徴としている。
【発明の効果】
【００１１】
本発明によれば、ＧＰＳ機能付きの携帯電話機を利用して、各利用者を特定するとともに、その位置を把握して、呼び登録、行先登録を自動的に設定することができ、これによって病院などを利用する身障者、オフィスビルに出入りする利用者など、特定の階床を利用することが多い利用者に対するサービスを飛躍的に向上させることができる。
【００１２】
また、利用者の乗りかご利用状況に応じて、利用者が携帯している携帯電話機に記憶された個人利用状況情報を更新しながら、ＧＰＳ機能付きの携帯電話機を利用して、各利用者を特定するとともに、その位置を把握して、呼び登録、行先登録を自動的に設定することができ、これによって病院などを利用する身障者、オフィスビルに出入りする利用者など、特定の階床を利用することが多い利用者に対するサービスを飛躍的に向上させることができる。
【００１３】
また、ＧＰＳ機能付きの携帯電話機を利用して、各利用者を特定するとともに、その位置を把握して、利用者の乗りかご利用状況、立ち入り場所などを監視し、不審な行動をしている利用者がいるとき、これを検知して、警備員などを派遣し、ビル内の安全性を確保することができる。
【発明を実施するための最良の形態】
【００１４】
図１は本発明によるエレベータシステムの実施の形態を示す概略構成図である。
【００１５】
この図に示すエレベータシステム１ａは、建物の昇降路２内に昇降自在に配置される乗りかご３と、乗りかご３の重さ、積載量などと釣り合う重さに設定され、昇降路２内に昇降自在に配置される釣合重り４と、これら乗りかご３、釣合重り４を繋ぐロープ５と、建物の機械室６内に配置され、ロープ５を走行して乗りかご３を昇降する電動機７と、乗りかご３を使用する各利用者によって携帯され、ＩＤ情報、エレベータ利用階（行先階情報）、利用時間などの個人利用状況情報を記憶する機能、地球周回軌道上にある各ＧＰＳ衛星から送信されるＧＰＳ信号を受信して位置情報を取得するＧＰＳ機能などを備えた複数の携帯電話機８と、電話会社側の現在位置検索サービスを利用して、一定時間毎に、各携帯電話機８のＩＤ情報、位置情報を取り込んで、ビル内の各ホール乗り場９に近づいている利用者がいるかどうかをチェックし、各ホール乗り場９のいずれかに近づいている利用者がいるとき、この利用者が持つ携帯電話機８に記憶されている行先階情報、利用時間などを取り込むとともに、呼び情報を生成する複数の無線ネットワーク１０とを備えている。
【００１６】
さらに、エレベータシステム１ａは、ビル内に敷設され、各無線ネットワーク１０から各利用者の呼び情報、行先情報などが出力されたとき、これを取り込む処理などを行うビル内ネットワーク１１と、機械室６内に配置され、各階床のホール乗り場９に設けられた各呼び入力装置（図示は省略する）の出力、乗りかご３内に設けられた行先入力装置（図示は省略する）の出力、各センサ（図示は省略する）の出力などに基づき、電動機７を制御し、乗りかご３を上昇、下降、停止しながら、制御信号線１２を介して乗りかご３に設けられたドア１３の開閉などを行う処理、ビル内ネットワーク１１上に送出された各利用者の呼び情報、行先情報を取り込み、乗りかご３の昇降、ドア１３の開閉などを行う処理、利用者のエレベータ利用状況に応じて、利用者の携帯電話機８に記憶されているエレベータ利用階（行先階情報）、利用時間などを更新する処理などを行うエレベータ制御装置１４とを備えている。
【００１７】
そして、携帯電話機８を持たない利用者が各ホール乗り場９に設けられた各呼び入力装置のいずれかを操作し、呼び情報が出力されると、エレベータ制御装置１４によって、電動機７が駆動され、呼び情報が出力された階床まで、乗りかご３が昇降し、呼び階床に着床したとき、乗りかご３のドア１３が開かれる。
【００１８】
この後、乗りかご３に乗り込んだ利用者によって、乗りかご３内に設けられた行先入力装置が操作され、行先階が指定されたとき、エレベータ制御装置１４によって、乗りかご３のドア１３が閉じられるとともに、電動機７が駆動され、行先階まで、乗りかご３が昇降される。
【００１９】
そして、乗りかご３が行先階に着床したとき、エレベータ制御装置１４によって、乗りかご３のドア１３が開かれ、利用者が降ろされる。
【００２０】
また、この動作と並行し、各無線ネットワーク１０によって、各携帯電話機８のＩＤ情報、位置情報が定期的に取り込まれて、各ホール乗り場９に近づいている利用者がいるかどうかがチェックされ、各ホール乗り場９のいずれかに近づいている利用者がいるとき、この携帯電話機８に記憶されている行先階情報、利用時間などが取り込まれるとともに、呼び情報が生成され、これら呼び情報、行先階情報、利用時間などが無線ネットワーク１０→ビル内ネットワーク１１→エレベータ制御装置１４なる経路で、エレベータ制御装置１４に供給される。
【００２１】
そして、エレベータ制御装置１４によって、電動機７が駆動され、呼び情報で指定された階床（携帯電話機８を携帯しながら、ホール乗り場９に近づいている利用者がいる階床）まで、乗りかご３が昇降され、呼び階床に着床したとき、乗りかご３のドア１３が開かれる。
【００２２】
この後、ドア１３を開いたときから、一定時間が経過する前に、乗りかご３内に設けられた行先入力装置の行先ボタンが操作されたかどうかがチェックされ、行先ボタンが操作されることなく、一定時間が経過すると、エレベータ制御装置１４によって、乗りかご３のドア１３が閉じられるとともに、電動機７が駆動され、携帯電話機８に記憶されていた行先階情報で示される行先階まで、乗りかご３が昇降される。
【００２３】
また、ドア１３を開いたときから、一定時間が経過する前に、乗りかご３に乗り込んだ利用者によって、乗りかご３内に設けられた行先入力装置の行先ボタンが操作されて、携帯電話機８に記憶されている行先階情報と異なる行先階が指定されると、エレベータ制御装置１４によって、乗りかご３のドア１３が閉じられるとともに、電動機７が駆動され、行先ボタンで指定された行先階まで、乗りかご３が昇降される。
【００２４】
またこのとき、エレベータ制御装置１４によって、乗りかご３に乗っている利用者のエレベータ利用時間帯、利用頻度、今回の行先階などに応じた、新たな個人利用状況情報が生成され、これがエレベータ制御装置１４→ビル内ネットワーク１１→無線ネットワーク１０→携帯電話機８なる経路で、乗りかご３に乗り込んでいる利用者の携帯電話機８に供給され、この携帯電話機８に記憶されている個人利用状況情報が更新される。
【００２５】
そして、乗りかご３が行先階に着床したとき、エレベータ制御装置１４によって、乗りかご３のドア１３が開かれ、利用者が降ろされる。
【００２６】
このように、この実施形態では、ＧＰＳ機能付きの携帯電話機８によって、利用者の位置を把握し、利用者が乗りかご３に乗ろうとして、ホール乗り場９に近づいているとき、携帯電話機８→無線ネットワーク１０→ビル内ネットワーク１１→エレベータ制御装置１４なる経路で、エレベータ制御装置１４に、携帯電話機８に記憶されているＩＤ情報、エレベータ利用階（行先階情報）、利用時間などの個人利用状況情報を供給して、呼び情報、行先情報などを自動的に登録するようにしているので、ＧＰＳ機能付きの携帯電話機８を利用して、各利用者を特定するとともに、その位置を把握して、呼び登録、行先登録を自動的に設定することができ、これによって病院などを利用する身障者、オフィスビルに出入りする利用者など、特定の階床を利用することが多い利用者に対するサービスを飛躍的に向上させることができる。
【００２７】
また、この実施形態では、利用者が乗りかご３を利用する毎に、エレベータ制御装置１４によって、利用者のエレベータ利用時間帯、利用頻度、今回の行先階などに基づき、新たな個人利用状況情報を生成し、これをエレベータ制御装置１４→ビル内ネットワーク１１→無線ネットワーク１０→携帯電話機８なる経路で、乗りかご３に乗り込んでいる利用者の携帯電話機８に供給し、この携帯電話機８に記憶されている個人利用状況情報を更新するようにしているので、利用者の乗りかご利用状況に応じて、利用者が携帯している携帯電話機８に記憶された個人利用状況情報を更新し、利用者に携帯電話機８を操作することなく、行先階の変更処理などを行わせることができる。
【００２８】
図２は本発明によるエレベータシステムの他の実施形態を示す概略構成図である。なお、この図においては、図１の各部に対応する部分に同じ符号が付してある。
【００２９】
この図に示すエレベータシステム１ｂが図１に示すエレベータシステム１ａと異なる点は、ビル内ネットワーク１１と、セキュリティシステム１５とを接続して、携帯電話機８を携帯している利用者がビル内を移動するとき、携帯電話機８で得られた位置情報とともに、携帯電話機８に記憶されているＩＤ情報、エレベータ利用階（行先階情報）、利用時間などの個人利用状況情報をセキュリティシステム１５に供給して、利用者の乗りかご利用状況、利用者の行動内容などを把握し、利用者が許可されていない場所などに立ち入らないようにしたことである。
【００３０】
このように、この実施形態では、携帯電話機８で得られた位置情報とともに、携帯電話機８に記憶されているＩＤ情報、エレベータ利用階（行先階情報）、利用時間などの個人利用状況情報をセキュリティシステム１５に供給して、利用者の乗りかご利用状況、利用者の行動内容などをセキュリティシステム１５側に把握するようにしているので、不審な行動をしている利用者がいるとき、これを検知して、警備員などを派遣し、ビル内の安全性を確保することができる。
【００３１】
また、上述した各実施形態では、各無線ネットワーク１０によって、電話会社側の現在位置検索サービスを利用して、携帯電話機８の位置情報を取得するようにしているが、各携帯電話機８によって、無線ＬＡＮ方式などを使用し、各携帯電話機８から位置情報を直接、取得するようにしても良い。
【００３２】
このようにしても、上述した各実施形態と同様に、ＧＰＳ機能付きの携帯電話機８を利用して、各利用者を特定するとともに、その位置を把握して、呼び登録、行先登録を自動的に設定することができ、これによって病院などを利用する身障者、オフィスビルに出入りする利用者など、特定の階床を利用することが多い利用者に対するサービスを飛躍的に向上させることができる。
【図面の簡単な説明】
【００３３】
【図１】本発明によるエレベータシステムの第１の実施形態を示す概略構成図である。
【図２】本発明によるエレベータシステムの第２の実施形態を示す概略構成図である。
【符号の説明】
【００３４】
１ａ、１ｂ：エレベータシステム
２：昇降路
３：乗りかご
４：釣合重り
５：ロープ
６：機械室
７：電動機
８：携帯電話機
９：ホール乗り場
１０：無線ネットワーク
１１：ビル内ネットワーク
１２：制御信号線
１３：ドア
１４：エレベータ制御装置
１５：セキュリティシステム
【図１】
2005280906.tif 000003
【図２】
2005280906.tif 000004